(57)【特許請求の範囲】
【請求項１】
飲料容器の側部を包囲可能な側部包囲用空間部を有する側部包囲部と、
飲料容器の側部と側部包囲用空間部との間に形成される隙間部分に介在可能な可動フラップ部材とを備えたカップホルダ装置であって、
前記側部包囲用空間部が、飲料容器として、１本の大型ペットボトル等または２本の小型ペットボトル等のいずれかを選択的に収容可能な大きさおよび形状を有し、
前記可動フラップ部材が、大型ペットボトル等の両側部を規定可能な両側規定用アーム部と、２本の小型ペットボトル等の間を仕切可能な仕切用アーム部とを、収容される飲料容器に応じて切替可能に備え、
前記両側規定用アーム部と、仕切用アーム部とが直交した状態で配置され、
前記両側規定用アーム部と、仕切用アーム部とが一体化されることにより、
前記可動フラップ部材が、側面視Ｌ字状に構成され、
該可動フラップ部材が、側面視Ｌ字状のコーナー部分で、前記側部包囲用空間部に回動可能に軸支されることにより、
１本の大型ペットボトル等を収容保持可能な大型ペットボトル等用収容形態と、２本の小型ペットボトル等を収容保持可能な小型ペットボトル等用収容形態とを、可動フラップ部材の回動によって切替可能としたことを特徴とするカップホルダ装置。 
【発明の詳細な説明】
【技術分野】
【０００１】
この発明は、カップホルダ装置に関するものである。
【背景技術】
【０００２】
自動車などの車両には、車室内にカップホルダ装置が備えられている（例えば、特許文献１、２参照）。
【０００３】
このようなカップホルダ装置にあっては、大型ペットボトル等を収容し得るようにしたものは、まだ一般化されていない。
【特許文献１】特開２００３−２３７４５２
【特許文献２】特開２００４−２１７１４５
【発明の開示】
【発明が解決しようとする課題】
【０００４】
大型ペットボトル等を収容する場合、例えば、図８に示すように、センターコンソール１などに対して、通常の飲料容器用凹部２を２本分横並びに設けると共に、これとは別に、大型ペットボトル等用凹部３を１本分設けることなどが考えられるが、このようにすると、効率良く大型ペットボトル等を収容することができないという問題が生じてしまう。
【課題を解決するための手段】
【０００５】
本発明は、
飲料容器の側部を包囲可能な側部包囲用空間部を有する側部包囲部と、
飲料容器の側部と側部包囲用空間部との間に形成される隙間部分に介在可能な可動フラップ部材とを備えたカップホルダ装置であって、
前記側部包囲用空間部が、飲料容器として、１本の大型ペットボトル等または２本の小型ペットボトル等のいずれかを選択的に収容可能な大きさおよび形状を有し、
前記可動フラップ部材が、大型ペットボトル等の両側部を規定可能な両側規定用アーム部と、２本の小型ペットボトル等の間を仕切可能な仕切用アーム部とを、収容される飲料容器に応じて切替可能に備え、
前記両側規定用アーム部と、仕切用アーム部とが直交した状態で配置され、
前記両側規定用アーム部と、仕切用アーム部とが一体化されることにより、
前記可動フラップ部材が、側面視Ｌ字状に構成され、
該可動フラップ部材が、側面視Ｌ字状のコーナー部分で、前記側部包囲用空間部に回動可能に軸支されることにより、
１本の大型ペットボトル等を収容保持可能な大型ペットボトル等用収容形態と、２本の小型ペットボトル等を収容保持可能な小型ペットボトル等用収容形態とを、可動フラップ部材の回動によって切替可能としたことを特徴としている。 
【発明の効果】
【０００７】
本発明によれば、１本の大型ペットボトル等を収容保持可能な大型ペットボトル等用収容形態と、２本の小型ペットボトル等を収容保持可能な小型ペットボトル等用収容形態とを、切替可能に備えたことにより、以下のような作用効果を得ることができる。即ち、大型ペットボトル等用収容形態に切替えることにより、１本の大型ペットボトル等を収容することが可能となる。また、小型ペットボトル等用収容形態に切替えることにより、最大で２本の小型ペットボトル等を収容することが可能となる。これにより、効率の良い収納を行わせることが可能となる。特に、これまで収納することが予定されていなかった大型ペットボトル等を効率良く収納することが可能となる。しかも、形態の変化によって対応させるようにしているので、面倒がない。
また、飲料容器の側部を包囲可能な側部包囲用空間部を有する側部包囲部と、飲料容器の側部と側部包囲用空間部との間に形成される隙間部分に介在可能な可動フラップ部材とを備えたカップホルダ装置であって、前記側部包囲用空間部が、飲料容器として、１本の大型ペットボトル等または２本の小型ペットボトル等のいずれかを選択的に収容可能な大きさおよび形状を有し、前記可動フラップ部材が、大型ペットボトル等の両側部を規定可能な両側規定用アーム部と、２本の小型ペットボトル等の間を仕切可能な仕切用アーム部とを、収容される飲料容器に応じて切替可能に備え、両側規定用アーム部と、仕切用アーム部とが直交した状態で配置され、両側規定用アーム部と、仕切用アーム部とが一体化されることにより、可動フラップ部材が、側面視Ｌ字状に構成され、可動フラップ部材が、側面視Ｌ字状のコーナー部分で、側部包囲用空間部に回動可能に軸支されたことにより、以下のような作用効果を得ることができる。即ち、側部包囲用空間部に大型ペットボトル等を収容する場合には、可動フラップ部材を両側規定用アーム部に切替えて、大型ペットボトル等の両側部を規定させるようにする。また、側部包囲用空間部に小型ペットボトル等を収容する場合には、可動フラップ部材を仕切用アーム部に切替えて、２本の小型ペットボトル等の間を仕切らせるようにする。これにより、効率の良い収納を行わせることが可能となる。特に、大型ペットボトル等を効率良く収納することが可能となる。
【０００８】
請求項２の発明によれば、飲料容器の側部を包囲可能な側部包囲用空間部を有する側部包囲部と、飲料容器の側部と側部包囲用空間部との間に形成される隙間部分に介在可能な可動フラップ部材とを備えたカップホルダ装置であって、前記側部包囲用空間部が、飲料容器として、１本の大型ペットボトル等または２本の小型ペットボトル等のいずれかを選択的に収容可能な大きさおよび形状を有し、前記可動フラップ部材が、大型ペットボトル等の両側部を規定可能な両側規定用アーム部と、２本の小型ペットボトル等の間を仕切可能な仕切用アーム部とを、収容される飲料容器に応じて切替可能に備えたことにより、以下のような作用効果を得ることができる。即ち、側部包囲用空間部に大型ペットボトル等を収容する場合には、可動フラップ部材を両側規定用アーム部に切替えて、大型ペットボトル等の両側部を規定させるようにする。また、側部包囲用空間部に小型ペットボトル等を収容する場合には、可動フラップ部材を仕切用アーム部に切替えて、２本の小型ペットボトル等の間を仕切らせるようにする。これにより、効率の良い収納を行わせることが可能となる。特に、大型ペットボトル等を効率良く収納することが可能となる。
【発明を実施するための最良の形態】
【０００９】
以下、本発明を具体化した実施例について、図示例と共に説明する。
【実施例】
【００１０】
図１〜図７は、この発明の実施例を示すものである。
【００１１】
まず、構成について説明する。
【００１２】
自動車などの車両における車室内に、飲料容器を収容保持可能なカップホルダ装置１１を設ける。この場合、このカップホルダ装置１１は、運転席と助手席との間に設置されるセンターコンソール１２などに設けられたものとされている。
【００１３】
そして、この実施例のものでは、カップホルダ装置１１が、飲料容器として１本の大型ペットボトル等１３（図２参照。以下同様）を収容保持可能な大型ペットボトル等用収容形態１４（図１〜図３）と、２本の小型ペットボトル等１５（図５参照。以下同様）を収容保持可能な小型ペットボトル等用収容形態１６（図４〜図６）とを、切替可能に備えるようにする。
【００１４】
この場合、大型ペットボトル等１３は、基本的に１．５Ｌ容器（主に角型等のもの）を想定している。但し、大型ペットボトル等１３は、１Ｌ容器（主に丸型等のもの）や、これに類する大きさや形状等を有する、その他のものなどであっても良い。また、小型ペットボトル等１５は、基本的に５００ｍｌ容器（角型および丸型等のもの）を想定している。但し、小型ペットボトル等１５については、３５０ｍｌ容器や缶飲料やカップ類やこれに類する大きさや形状等を有するもその他のものなどであっても良い。大型ペットボトル等１３や小型ペットボトル等１５は、その軸線をほぼ上下方向へ向けた状態で収容され得るようにする。
【００１５】
より具体的には、以下のような構造などとする。
【００１６】
この場合、カップホルダ装置１１は、少なくとも、飲料容器の側部を包囲可能な側部包囲用空間部２１を有する側部包囲部２２と、飲料容器の側部と側部包囲用空間部２１との間に形成される隙間部分に介在可能な可動フラップ部材２４とを備えたものなどとされている。
【００１７】
なお、側部包囲部２２は、枠状等（図１、図４参照）としても、孔状等（図２〜図３、図５〜図６参照）としても良い。但し、側部包囲部２２を枠状等とする場合には、飲料容器の底部を支持可能な底部支持部等が別に必要となる。また、枠状等の側部包囲部２２は、センターコンソール１２やその他の固定部分などに対して取付けられることとなる。側部包囲部２２を孔状等とした場合には、孔状等の底面がそのまま底部支持部として利用可能となる。
【００１８】
そして、側部包囲用空間部２１を、飲料容器として、１本の大型ペットボトル等１３または２本の小型ペットボトル等１５のいずれかを選択的に収容可能な大きさおよび形状を有するものとする。
【００１９】
例えば、側部包囲用空間部２１は、図２、図５に示すように、１本の大型ペットボトル等１３を収容保持可能な大型ペットボトル等用形状部２５と、横並びに並設された２本の小型ペットボトル等１５を収容保持可能な小型ペットボトル等用形状部２６とを重ね合わせた、図示のような複合形状などとされる。
【００２０】
そして、可動フラップ部材２４は、大型ペットボトル等１３の両側部を規定可能な両側規定用アーム部２７と、２本の小型ペットボトル等１５の間を仕切可能な仕切用アーム部２８とをそれぞれ備えている。そして、これらを、収容される飲料容器に応じて切替可能となるように設置する。
【００２１】
この場合、可動フラップ部材２４は、図７に示すように、両側規定用アーム部２７と、仕切用アーム部２８とをほぼ９０度の角度を有して連結・一体化して成る側面視ほぼＬ字状のものとされている。両側規定用アーム部２７は、使用状態で平面視ほぼコ字状を呈している。また、仕切用アーム部２８は、使用状態で平面視ほぼＴ字状（脚部が短いＴ字状）を呈している。可動フラップ部材２４の両側部には、可動フラップ部材２４を、側部包囲用空間部２１に対して、上下回動可能に軸支可能な支軸２９が突設されている。この支軸２９は、ほぼ水平で且つ側部包囲用空間部２１の幅方向へ向けて延設されている。
【００２２】
この可動フラップ部材２４は、側部包囲用空間部２１の後部または前部に設けられたフラップ収容凹部３１に設置されている。
【００２３】
そして、側部包囲用空間部２１に対する可動フラップ部材２４の設置位置は、両側規定用アーム部２７や仕切用アーム部２８が、側部包囲用空間部２１から上方へはみ出さないような中間高さなどとするのが好ましい。
【００２４】
次に、この実施例の作用について説明する。
【００２５】
この実施例によれば、１本の大型ペットボトル等１３を収容保持可能な大型ペットボトル等用収容形態１４と、２本の小型ペットボトル等１５を収容保持可能な小型ペットボトル等用収容形態１６とを、切替可能に備えたことにより、以下のような作用効果を得ることができる。
【００２６】
即ち、大型ペットボトル等用収容形態１４に切替えることにより、１本の大型ペットボトル等１３を収容することが可能となる。また、小型ペットボトル等用収容形態１６に切替えることにより、最大で２本の小型ペットボトル等１５を収容することが可能となる。これにより、効率の良い収納を行わせることが可能となる。特に、これまで収納することが予定されていなかった大型ペットボトル等１３を効率良く収納することが可能となる。しかも、形態の変化によって対応させるようにしているので、面倒がない。
【００２７】
また、飲料容器の側部を包囲可能な側部包囲用空間部２１を有する側部包囲部２２と、飲料容器の側部と側部包囲用空間部２１との間に形成される隙間部分に介在可能な可動フラップ部材２４とを備えたカップホルダ装置であって、側部包囲用空間部２１が、飲料容器として、１本の大型ペットボトル等１３または２本の小型ペットボトル等１５のいずれかを選択的に収容可能な大きさおよび形状を有し、可動フラップ部材２４が、大型ペットボトル等１３の両側部を規定可能な両側規定用アーム部２７と、２本の小型ペットボトル等１５の間を仕切可能な仕切用アーム部２８とをそれぞれ備えると共に、これらを、収容される飲料容器に応じて切替可能に備えたことにより、以下のような作用効果を得ることができる。
【００２８】
即ち、側部包囲用空間部２１に大型ペットボトル等１３を収容する場合には、可動フラップ部材２４を両側規定用アーム部２７に切替えて、大型ペットボトル等１３の両側部を規定させるようにする。また、側部包囲用空間部２１に小型ペットボトル等１５（カップ類や缶飲料などであっても良い）を収容する場合には、可動フラップ部材２４を仕切用アーム部２８に切替えて、２本の小型ペットボトル等１５の間を仕切らせるようにする。これにより、効率の良い収納を行わせることが可能となる。特に、大型ペットボトル等１３を効率良く収納することが可能となる。
【００２９】
以上、この発明の実施例を図面により詳述してきたが、実施例はこの発明の例示にしか過ぎないものであるため、この発明は実施例の構成にのみ限定されるものではなく、この発明の要旨を逸脱しない範囲の設計の変更等があってもこの発明に含まれることは勿論である。また、例えば、各実施例に複数の構成が含まれている場合には、特に記載がなくとも、これらの構成の可能な組合せが含まれることは勿論である。また、複数の実施例や変形例が示されている場合には、特に記載がなくとも、これらに跨がった構成の組合せのうちの可能なものが含まれることは勿論である。また、図面に描かれている構成については、特に記載がなくとも、含まれることは勿論である。
【図面の簡単な説明】
【００３０】
【図１】本発明の実施例にかかるカップホルダ装置（大型ペットボトル等用収容形態）の部分拡大斜視図である。
【図２】図１の平面図である。
【図３】図１の側面図である。
【図４】図１のカップホルダ装置（小型ペットボトル等用収容形態）の部分拡大斜視図である。
【図５】図４の平面図である。
【図６】図４の側面図である。
【図７】可動フラップ部材の斜視図である。
【図８】発明が解決しようとする課題の欄の説明に用いたカップホルダ装置の一例を示すセンターコンソールの斜視図である。
【符号の説明】
【００３１】
１３  大型ペットボトル等
１４  大型ペットボトル等用収容形態
１５  小型ペットボトル等
１６  小型ペットボトル等用収容形態
２１  側部包囲用空間部
２２  側部包囲部
２４  可動フラップ部材
２７  両側規定用アーム部
２８  仕切用アーム部
【図１】
0005270869.tif 000002
【図２】
0005270869.tif 000003
【図３】
0005270869.tif 000004
【図４】
0005270869.tif 000005
【図５】
0005270869.tif 000006
【図６】
0005270869.tif 000007
【図７】
0005270869.tif 000008
【図８】
0005270869.tif 000009